(57)【要約】【課題】  導体の隙間に挟まれるなどして、その隙間を通過しようとする電磁波をシールドする電磁波シールド用ガスケットにおいて、その隙間を導電性材料で安定して良好に埋めること。【解決手段】  ガスケット１は、断面略楕円状の発泡材３の表面を導電布５で被覆してなるクッション部７と、導電布５の表面に形成されたシール部２１〜２６とを備えている。クッション部７には、コネクタ５１〜５６のシェル５１ａ〜５６ａの外周に嵌合する貫通穴１１〜１６が設けられている。シール部２１〜２６は、導電性のシリコーンゴムをディスペンサから吐出することによって、貫通穴１１〜１６をそれぞれ囲むように形成されている。基板５０に筐体６０を固定すると、各シール部２１〜２６は筐体６０の開口部６１〜６６の外周に内側から当接し、電磁波をシールドすることができる。【選択図】  図２
2006100521.tif 000002
【特許請求の範囲】
【請求項１】
扁平に形成され、弾性を有する発泡材と、
導電性を有し、上記発泡材を外周から被覆する導電布，導電不織布，または金属箔と、
上記発泡材の扁平面を被覆する上記導電布，導電不織布，または金属箔の表面に、導電性のエラストマをディスペンサより直線状または曲線状に吐出して形成され、弾性を有するものの上記発泡材より硬いシール部と、
を備えたことを特徴とする電磁波シールド用ガスケット。
【請求項２】
上記発泡材の扁平面及びその表裏面を被覆する導電布，導電不織布，または金属箔を貫通する貫通穴が設けられ、
上記シール部が、上記貫通穴の周縁部に沿って閉曲線状に形成されたことを特徴とする請求項１記載の電磁波シールド用ガスケット。
【請求項３】
筐体に形成された開口部からコネクタを外に露出させた機器に使用される請求項２記載の電磁波シールド用ガスケットであって、
上記貫通穴が上記コネクタの導電シェルの外周に嵌合し、
上記シール部が上記筐体の上記開口部外周に内側から当接し、
上記導電シェルに連接されたフランジと上記筐体の内壁面との間に挟持されることを特徴とする電磁波シールド用ガスケット。
【請求項４】
上記発泡材、導電布，導電不織布，または金属箔、及びシール部が、防水性の素材により構成されたことを特徴とする請求項１〜３のいずれかに記載の電磁波シールド用ガスケット。
【発明の詳細な説明】
【技術分野】
【０００１】
本発明は、導体の隙間に挟まれるなどして、その隙間を通過しようとする電磁波をシールドする電磁波シールド用ガスケットに関する。
【背景技術】
【０００２】
従来より、コネクタ用の電磁波シールド用ガスケットとして、スライスしたポリウレタンスポンジの外周を導電布で被覆し、コネクタ嵌装用の打ち抜き孔を穿設した電磁波シールド用ガスケットが提案されている。（例えば、特許文献１参照）。
【０００３】
また、電子部品等を収容する筐体用の電磁波シールド用ガスケットとしては、筐体の開口部端面に導電性のシリコーン等をディスペンサより吐出して塗布し、筐体の蓋との間に挟むようにした電磁波シールド用ガスケットが提案されている（例えば、特許文献２，３参照）。
【特許文献１】実登２５３４３６１号公報
【特許文献２】特開平７−１４７４９４号公報
【特許文献３】特表２００１−５０３１９９号公報
【発明の開示】
【発明が解決しようとする課題】
【０００４】
ところが、スポンジの外周を導電布で被覆した電磁波シールド用ガスケットでは、軟らか過ぎるため当接する導体と間に十分な密着が得られず、隙間ができる可能性があった。また、ディスペンサよりシリコーン等のエラストマを吐出して形成された電磁波シールド用ガスケットでは、変形量が少ないため、導体の隙間の平行度が十分でないとその隙間を埋められない可能性があった。例えば、上記特許文献２または３の場合、筐体の開口部端面に対して筐体の蓋が傾いて当接すると、ガスケットと蓋との間に隙間が残る可能性があった。この僅かな隙間は、高周波グランド電流が良好に流れることを妨げ、電磁波シールド効果を低下させる要因となる。
【０００５】
そこで、本発明は、導体の隙間に挟まれるなどして、その隙間を通過しようとする電磁波をシールドする電磁波シールド用ガスケットにおいて、その隙間を導電性材料で安定して良好に埋めることで、低い接触インピーダンスが得られ高周波グランド電流を良好に流すことを可能とすることを目的としてなされた。
【課題を解決するための手段】
【０００６】
上記目的を達するためになされた本発明の電磁波シールド用ガスケットは、扁平に形成され、弾性を有する発泡材と、導電性を有し、上記発泡材を外周から被覆する導電布，導電不織布，または金属箔と、上記発泡材の扁平面を被覆する上記導電布，導電不織布，または金属箔の表面に、導電性のエラストマをディスペンサより直線状または曲線状に吐出して形成され、弾性を有するものの上記発泡材より硬いシール部と、を備えたことを特徴としている。
【０００７】
このように構成された本発明では、シール部は発泡材を外周から被覆する導電布，導電不織布，または金属箔（以下、導電布等という）の表面に形成されているので、対向する導体等に対するシール部の角度等は発泡材が変形することによって容易に変化する。また、シール部は、導電性のエラストマをディスペンサより直線状または曲線状に吐出して形成され、弾性を有するものの上記発泡材より硬いので、対向する導体等との密着性が良好である。更に、そのシール部を支持する導電布等は上記発泡材を外周から被覆しているため、この部分を電磁波が通過することもない。
【０００８】
従って、本発明では、導体の隙間に挟むなどして使用された場合、その隙間を導電性材料で安定して良好に埋めることができ、その隙間を通過しようとする電磁波を安定して良好にシールドすることができる。また、上記のようにシール部が導体等に密着するので、防塵効果・防滴効果が得られる場合もある。
【０００９】
なお、本発明では、発泡材，導電布等，シール部の形状は特に限定されないが、上記発泡材の扁平面及びその表裏面を被覆する導電布等を貫通する貫通穴が設けられ、上記シール部が、上記貫通穴の周縁部に沿って閉曲線状に形成された場合、次のような更なる効果が生じる。
【００１０】
この場合、貫通穴にコネクタ等のノイズ源を挿入し、シール部を筐体などに当接させれば、そのノイズ源から発生された電磁波が周囲に漏れるのを良好に防止することができる。従って、このような構成を採用した場合には、一層有効な電磁波対策を講じることが可能となる。
【００１１】
更に、この場合、例えば、筐体に形成された開口部からコネクタを外に露出させた機器に使用される電磁波シールド用ガスケットは次のように構成してもよい。すなわち、上記貫通穴が上記コネクタの導電シェルの外周に嵌合し、上記シール部が上記筐体の上記開口部外周に内側から当接し、上記導電シェルに連接されたフランジと上記筐体の内壁面との間に挟持されるようにするのである。この場合、貫通穴は上記コネクタの導電シェルの外周に嵌合し、前述のようにシール部は筐体の上記開口部外周に内側から当接する。前述のように、シール部は筐体に良好に密着するので、筐体の開口部を介して筐体内に水滴や塵が入り込むのを良好に防止することができる。しかも、コネクタのフランジと筐体とは本発明の電磁波シールド用ガスケットを挟み込むことによって良好に等電位に維持され、開口部の周囲で隙間なくシール部が筐体に密着するので、その開口部周辺における電磁波シールドを良好に行うことができる。
【００１２】
更に、上記いずれかの電磁波シールド用ガスケットにおける発泡材、導電布等、及びシール部が、防水性の素材により構成された場合、次のような更なる効果が生じる。すなわち、この場合、発泡材、導電布等、及びシール部によって封止された部分を水が通ることは極めて困難になり、良好な防水性が得られると共に、良好な電磁波シールドが可能となる。
【発明を実施するための最良の形態】
【００１３】
次に、本発明の実施の形態を図面と共に説明する。図１は、本発明が適用された電磁波シールド用ガスケット（以下、単にガスケットという）１の構成を表す正面図，側面図，及び断面図を表しており、図２は、そのガスケット１が適用されるパーソナルコンピュータの構成を部分的に表す斜視図である。
【００１４】
図２に示すように、ガスケット１が適用されるパーソナルコンピュータは、基板５０上に、電源コネクタ５１，５２、同軸ケーブル用コネクタ５３，５４、パラレルコネクタ５５、及びシリアルコネクタ５６が設けられている。また、この基板５０を覆う筐体６０には、前述の各コネクタ５１〜５６をそれぞれ露出させるために、開口部６１〜６６がそれぞれ形成されている。なお、筐体６０により基板５０を覆ったときには、筐体６０の表面と、前述の各コネクタ５１〜５６の外側端面とが、ほぼ面一に配設される。
【００１５】
図１（Ａ）は、上記パーソナルコンピュータに適用されるガスケット１の正面図、図１（Ｂ）はその左側面図、図１（Ｃ）はそのＡ−Ａ線断面図である。図１及び図２に示すように、ガスケット１は、断面略楕円状で長尺の柱状に形成された発泡材３の表面を導電布５で被覆してなるクッション部７と、発泡材３の扁平面を被覆する導電布５の表面に形成されたシール部２１，２２，２３，２４，２５，２６とを備えている。
【００１６】
発泡材３は、ウレタン等適宜の発泡性樹脂によって成形され、導電布５は、金属細線或いは金属コート繊維からなるマルチフィラメント糸またはモノフィラメント糸を製織した導電性織布であり、発泡材３を巻回するようにして接着剤で固定されている。このように構成されたクッション部７には、前述の各コネクタ５１〜５６のシェル５１ａ〜５６ａ（このうちシェル５５ａ，５６ａはいわゆる導電シェル）の外周に嵌合する貫通穴１１〜１６が設けられている（但し、貫通穴１６には、ネジ止め用の凹部も形成されている）。シール部２１〜２６は、導電性フィラーを充填したシリコーンゴムをディスペンサから吐出することによって、発泡材３の扁平面を被覆する導電布５の表面に、上記各貫通穴１１〜１６をそれぞれ囲むように形成されている。また、各シール部２１〜２６は、図１（Ｂ），（Ｃ）に示すように、平面状の閉曲線状に形成されている。
【００１７】
このように構成されたガスケット１では、各シール部２１〜２６が筐体６０の内壁面に対向するようにして各コネクタ５１〜５６のシェル５１ａ〜５６ａを貫通穴１１〜１６に嵌合させ、続いて基板５０に筐体６０を固定して使用される。すると、各シール部２１〜２６は筐体６０の各開口部６１〜６６の外周に内側から当接し、ガスケット１は、筐体６０の内壁面と、各シェル５１ａ〜５６ａに連接されたフランジ５１ｂ〜５６ｂとの間に挟持される。このため、ガスケット１，筐体６０，及びフランジ５１ｂ〜５６ｂは、それぞれ等電位に維持され、開口部６１〜６６を通過しようとする電磁波をシールドすることができる。
【００１８】
しかも、シール部２１〜２６は、軟らかい発泡材３によって支持されているため、発泡材３の変形によって角度が容易に変化し、筐体６０の内壁面に平行な角度で密着する。更に、シール部２１〜２６は弾性を有するものの発泡材３よりも硬いので、筐体６０の内壁面に対する密着性も良好である。従って、ガスケット１では、開口部６１〜６６を通過しようとする電磁波を極めて良好にシールドすることができる。
【００１９】
更に、ガスケット１では、貫通穴１１〜１６がシェル５１ａ〜５６ａの外周に密着し、開口部６１〜６６の内壁面にシール部２１〜２６が密着する。しかも、発泡材３，導電布５，及びシール部２１〜２６は、前述のように防水性の素材により構成されている。このため、開口部６１〜６６を導電布５及びシール部２１〜２６によって封止して、基板５０に対する防水性・防塵性も良好に向上させることができる。
【００２０】
なお、本発明は上記実施の形態に何等限定されるものではなく、本発明の要旨を逸脱しない範囲で種々の形態で実施することができる。例えば、シール部は貫通穴の周囲に二重、三重に形成してもよい。また、この場合、シール部の高さを内側から順番に高くしてもよく、こうすることによって一層防水性を高めることができる。更に、シール部は、発泡材を導電布で被覆してなるクッション部の両面に形成してもよい。また更に、導電布の代わりに、導電不織布または金属箔を利用してもよい。
【００２１】
更に、本発明はコネクタに対する利用に限らず、種々の部位に対して使用することができる。例えば、発泡材を導電布で被覆してなるクッション部にプリント配線基板上の回路全体を囲むような貫通穴を設け、シール部を、ヒートシンクなど上記回路全体を覆う導体に当接すように形成してもよい。この場合、上記回路に出入りしようとする電磁波を良好にシールドすることができる。
【図面の簡単な説明】
【００２２】
【図１】本発明が適用された電磁波シールド用ガスケットの構成を表す正面図，側面図，及び断面図である。
【図２】そのガスケットが適用されるパーソナルコンピュータの構成を部分的に表す斜視図である。
【符号の説明】
【００２３】
１…電磁波シールド用ガスケット              ３…発泡材
５…導電布                                  ７…クッション部
１１，１２，１３，１４，１５，１６…貫通穴
２１，２２，２３，２４，２５，２６…シール部
５０…基板                                  ５１，５２…電源コネクタ
５１ａ，５２ａ，５３ａ，５４ａ，５５ａ，５６ａ…シェル
５１ｂ，５２ｂ，５３ｂ，５４ｂ，５５ｂ，５６ｂ…フランジ
５３，５４…同軸ケーブル用コネクタ          ５５…パラレルコネクタ
５６…シリアルコネクタ                      ６０…筐体
６１，６２，６３，６４，６５，６６…開口部
【図１】
2006100521.tif 000003
【図２】
2006100521.tif 000004